(57)【要約】【課題】ポートに穿刺するのが容易であるとともに、チューブ上を移動させるのが容易で、針に針カバーを被冠するのが容易である医療用針及び薬液注入装置を提供すること。【解決手段】ハウジング（２）の前方に、針（１０）を植設したボールハブ（５）を配置し、当該ボールハブ５にストッパー（６）を被冠し、ボールハブ（５）は前記ハウジング（２）とストッパー（６）の間に遊嵌され、針（１０）はストッパー（６）を回動することにより、略水平位置から下方に略９０°の範囲で回動し、前記針（１０）後方にチューブ（１１）を装着し、当該チューブ（１１）はストッパー（６）後方から、ハウジング（２）の内部空間（４）を経て、ハウジング（２）後方に延設されている医療用針（１）。【選択図】図１
2005245931.tif 000002
【特許請求の範囲】
【請求項１】
ハウジング（２）の前方に、針（１０）を植設したボールハブ（５）を配置し、当該ボールハブ５にストッパー（６）を被冠し、ボールハブ（５）は前記ハウジング（２）とストッパー（６）の間に遊嵌され、針（１０）はストッパー（６）を回動することにより、略水平位置から下方に略９０°の範囲で回動し、前記針（１０）後方にチューブ（１１）を装着し、当該チューブ（１１）はストッパー（６）後方から、ハウジング（２）の内部空間（４）を経て、ハウジング（２）後方に延設されている、ことを特徴とする医療用針（１）。
【請求項２】
前記ハウジング（２）とストッパー（６）に、溝（３、７、８）を形成し、
ハウジング（２）の内部空間（４）内に配置されたチューブ（１１）が折れ曲がらないように、ハウジング（２）外に露出することができるように形成した、ことを特徴とする請求項１に記載の医療用針（１）。
【請求項３】
ハウジング（２２）の前方に、針（３０）を植設したボールハブ（２５）を配置し、当該ボールハブ（２５）にストッパー（２６）を被冠し、ボールハブ（２５）は前記ハウジング（２２）とストッパー（２６）の間に遊嵌され、針（３０）はストッパー（２６）を回動することにより、略水平位置から下方に略９０°の範囲で回動し、ハウジング（２２）の内部空間（２４）内にチューブ（３１）先端を装着し、当該チューブ（３１）はハウジング（２２）の内部空間（２４）を経て、ハウジング（２２）後方に延設されていることを特徴とする医療用針（２１）。
【請求項４】
ハウジング（２２）とストッパー（２６）を液密に接合したことを特徴とする請求項３に記載の医療用針（２１）。
【請求項５】
ハウジング（４２）の前方に、針（５０）を植設したヒンジハブ（４５）を配置し、当該ヒンジハブ（４５）にストッパー（４６）を被冠し、ヒンジハブ（４５）は前記ストッパー（４６）の間に遊嵌され、針（５０）はストッパー（４６）を回動することにより、略水平位置から下方に略９０°の範囲で回動し、前記針（５０）後方にチューブ（５１）を装着し、当該チューブ（５１）はストッパー（４６）後方から、ハウジング（４２）の内部空間（４４）を経て、ハウジング（４２）後方に延設されている、ことを特徴とする医療用針（４１）。
【請求項６】
前記ハウジング（４２）とストッパー（４６）に、溝（４３、４７、４８）を形成し、
ハウジング（４２）の内部空間（４４）内に配置されたチューブ（５１）が折れ曲がらないように、ハウジング（４２）外に露出することができるように形成した、ことを特徴とする請求項５に記載の医療用針（４１）。
【請求項７】
ハウジング（２、２２、４２）の後方に針カバー（１２）を係止可能な突部（２Ｆ、２２Ｆ、４２Ｆ）を形成した、ことを特徴とする請求項１ないし請求項６に記載の医療用針（１、２１、４１）。
【請求項８】
請求項１ないし請求項７に記載の医療用針（１、２１、４１）を有し、当該医療用針（１、２１、４１）に装着されたチューブ（１１、３１、５１）の途中に、スライド可能な略筒状の針カバー（１２）を装着し、
当該針カバー（１２）は、前記医療用針（１、２１、４１）を収納できる空間（１６）を有し、後方壁面（１７）を医療用針のハウジング（２、２２、４２）の突部（２Ｆ、２２Ｆ、４２Ｆ）に係止できるように形成した、ことを特徴とする薬液注入装置。
【発明の詳細な説明】
【技術分野】
【０００１】
本発明は、ポート アクセス インフュージョン セット（ＰＯＲＴ ＡＣＣＥＳＳ ＩＮＦＵＳＩＯＮ ＳＥＴ、ＰＡＩＳと称される、薬液注入装置ともいう）に使用される翼付の医療用針の改良に関するもので、特に使用時の操作性や安全性を改良したものである。
【背景技術】
【０００２】
図１１は、現在一般に使用されているＰＡＩＳ用薬液注入装置１５０の概略図である。薬液注入装置１５０は針基１５３の前方に略Ｌ字状の湾曲針１５２、側部に翼１５５を装着し、前記針基１５３の後方にチューブ１５６等を装着することにより構成されている。
湾曲針１５２は針基１５３に対して略９０度曲がった形状（略Ｌ字状）をしているので、湾曲針１５２先端に、力を集中しずらく、ポートに穿刺しずらいという課題がある。また略Ｌ字状の湾曲針１５２に合わせた針の誤刺防止用の機構（針カバー）を装着するのが難しいという課題があった。
出願人は特許文献１に、針の誤刺防止用の機構（針カバー）として、略Ｌ字型の針カバーを提案したが、略Ｌ字型であるが故に、重心が安定せず、チューブ上を移動させにくい、針に針カバーを被冠しずらいという課題があった。
【０００３】
また特許文献２には、シースをボールハブに装着し、シースを任意の角度の曲げて患部に挿入できるようにしたカテーテルシースイントロデューサの発明が記載されている。
また特許文献３には、ストレートに形成された注射針をボールハブに装着し、注射針を任意の角度の曲げて患部に注射できるようにしたシリンジ（注射器）の発明が記載されている。
また特許文献４にはストレートに形成された注射針をヒンジハブに装着し、１８０°回動させて注射針を折りたためるようにしたシリンジ（注射器）の発明が記載されている。
しかしながら、これらの発明には、ＰＡＩＳ用の針（針基に対して略９０度曲がった形状）と前記指摘した課題、課題を解決するための手段については、何ら記載ないし示唆されていない。
【０００４】
【特許文献１】特開２００２−１８６６６８号公報（図１から１２）
【特許文献２】アメリカ特許４８７４３７８（カテーテルシースイントロデューサ、ボールジョイント、図２参照）
【特許文献３】アメリカ特許５４０５３３０（シリンジニードルホルダー、ボールジョイント、図１、図２参照）
【特許文献４】特開２００３−２４５３５１号公報（注射器、ヒンジ、図１、図２参照）
【発明の開示】
【発明が解決しようとする課題】
【０００５】
本発明が解決しようとする問題点は、針をポートに穿刺しずらい、針カバーをチューブ上で移動させにくい、針に針カバーを被冠しずらい点である。
【課題を解決するための手段】
【０００６】
そこで本発明者は以上の課題を解決するために、鋭意検討を重ねた結果次の発明に到達した。
［１］本発明は、ハウジング（２）の前方に、針（１０）を植設したボールハブ（５）を配置し、当該ボールハブ５にストッパー（６）を被冠し、ボールハブ（５）は前記ハウジング（２）とストッパー（６）の間に遊嵌され、針（１０）はストッパー（６）を回動することにより、略水平位置から下方に略９０°の範囲で回動し、前記針（１０）後方にチューブ（１１）を装着し、当該チューブ（１１）はストッパー（６）後方から、ハウジング（２）の内部空間（４）を経て、ハウジング（２）後方に延設されている医療用針（１）を提供する。
［２］本発明は、前記ハウジング（２）とストッパー（６）に、溝（３、７、８）を形成し、
ハウジング（２）の内部空間（４）内に配置されたチューブ（１１）が折れ曲がらないように、ハウジング（２）外に露出することができるように形成した［１］に記載の医療用針（１）。
［３］本発明は、ハウジング（２２）の前方に、針（３０）を植設したボールハブ（２５）を配置し、当該ボールハブ（２５）にストッパー（２６）を被冠し、ボールハブ（２５）は前記ハウジング（２２）とストッパー（２６）の間に遊嵌され、針（３０）はストッパー（２６）を回動することにより、略水平位置から下方に略９０°の範囲で回動し、ハウジング（２２）の内部空間（２４）内にチューブ（３１）先端を装着し、当該チューブ（３１）はハウジング（２２）の内部空間（２４）を経て、ハウジング（２２）後方に延設されている医療用針（２１）を提供する。
［４］本発明は、ハウジング（２２）とストッパー（２６）を液密に接合した［３］に記載の医療用針（２１）を提供する。
［５］本発明は、ハウジング（４２）の前方に、針（５０）を植設したヒンジハブ（４５）を配置し、当該ヒンジハブ（４５）にストッパー（４６）を被冠し、ヒンジハブ（４５）は前記ストッパー（４６）の間に遊嵌され、針（５０）はストッパー（４６）を回動することにより、略水平位置から下方に略９０°の範囲で回動し、前記針（５０）後方にチューブ（５１）を装着し、当該チューブ（５１）はストッパー（４６）後方から、ハウジング（４２）の内部空間（４４）を経て、ハウジング（４２）後方に延設されている医療用針（４１）を提供する。
［６］本発明は、前記ハウジング（４２）とストッパー（４６）に、溝（４３、４７、４８）を形成し、
ハウジング（４２）の内部空間（４４）内に配置されたチューブ（５１）が折れ曲がらないように、ハウジング（４２）外に露出することができるように形成した［５］に記載の医療用針（４１）を提供する。
［７］本発明は、ハウジング（２、２２、４２）の後方に針カバー（１２）を係止可能な突部（２Ｆ、２２Ｆ、４２Ｆ）を形成した［１］ないし［６］に記載の医療用針（１、２１、４１）を提供する。
［８］本発明は、［１］ないし［７］に記載の医療用針（１、２１、４１）を有し、当該医療用針（１、２１、４１）に装着されたチューブ（１１、３１、５１）の途中に、スライド可能な略筒状の針カバー（１２）を装着し、
当該針カバー（１２）は、前記医療用針（１、２１、４１）を収納できる空間（１６）を有し、後方壁面（１７）を医療用針のハウジング（２、２２、４２）の突部（２Ｆ、２２Ｆ、４２Ｆ）に係止できるように形成した薬液注入装置を提供する。
【発明の効果】
【０００７】
（１）針１０をハウジング２に対して水平にした状態で、ポート（図示せず）に穿刺できるので、ポートに穿刺するのが容易である。
（２）針１０をハウジング２に対して水平の状態にすることができ、略Ｌ字状でない、単純な略筒状の針カバー１２を装着できるので、チューブ上を移動させるのが容易で、針１０に針カバー１２を被冠するのが容易である。
【発明を実施するための最良の形態】
【０００８】
［医療用針１］
図１は本発明の医療用針１の概略図［（Ａ）針１０をハウジング２に対して略９０°下方に回動したとき、（Ｂ）針１０をハウジング２に対して略４５°下方に回動したとき、（Ｃ）針１０をハウジング２に対して水平にしたとき］、図２は針１０に針カバー１２を被冠するときの概略図［（Ａ）は被冠する前、（Ｂ）は被冠する途中、（Ｃ）は被冠後］、図３は図１の断面図［（Ａ）、（Ｂ）、（Ｃ）はそれぞれ図１（Ａ）、（Ｂ）、（Ｃ）に対応する］、図４は図１の断面図と側面図［（Ａ）は図１（Ｃ）の中央縦断面図、（Ｂ）は図１（Ｃ）の中央横断面図（上から見た図面）、（Ｃ）は同中央横断面図（下から見た図面）、（Ｄ）は図１（Ｃ）の左側面図、（Ｅ）は図１（Ｃ）の右側面図］、図５は針１０に針カバー１２を被冠するときの断面図［（Ａ）は被冠する前、（Ｂ）は被冠する途中、（Ｃ）は被冠後、（Ｄ）は（Ｃ）の一部拡大図］である。
医療用針１は図１から図５に例示するように、ハウジング２の前方に、針１０を植設したボールハブ５を配置し、ボールハブ５にはストッパー６を被冠している。ボールハブ５はハウジング２とストッパー６の間に遊嵌され、これにより針１０はストッパー６を回動することにより、略水平位置から下方に略９０°の範囲で回動することができる。
さらに針１０後方にチューブ１１を装着し、チューブ１１はストッパー６後方から、ハウジング２の内部空間４を経て、ハウジング２後方に延設されている。
【０００９】
［ハウジング２］
ハウジング２は、図１から図５に例示するように、（ストッパー６と比較して細径の）筒状に形成され、略前方（厳密にいえば前方上部）に切り欠き溝３（以下、単に溝３）が形成されている。ハウジング２の後方に針カバー１２を係止可能な突部２Ｆ（フックまたは係止部ともいう）を形成している。
［ボールハブ５］
ボールハブ５は、図１から図５に例示するように、球状に形成され、前方から後方に亘って、中央に孔５Ａが貫通して形成されている。当該孔５Ａに針１０が植設されている。さらに詳述すれば針１０の後端が孔５Ａ挿入（植設ともいう）される。
［ストッパー６］
ストッパー６は図１から図５に例示するように、（ハウジング２と比較して大径の）筒状に形成され、略前方（厳密にいえば前方下部）と略後方（厳密にいえば後上部）にそれぞれ切り欠き溝７、８（以下、単に溝７、８という）が形成されている。ストッパー６は、ボールハブ５とハウジング２前方に装着（被冠）される。
［溝３、溝７、８］
ハウジング２とストッパー６に、前記のように溝３、溝７、８を形成したのは、医療用針１を図１（Ａ）、（Ｂ）のように使用するときに、チューブ１１の逃げ場を確保するためである。さらに詳述すれば、ハウジング２の内部空間４内に配置されたチューブ１１が折れ曲がらないように、ハウジング２外に露出することができるようにするためである。
［針カバー１２］
前記医療用針１に装着されたチューブ１１の途中に、スライド可能な針カバー１２を装着している。
当該針カバー１２は、前記医療用針１を収納できる空間１６を有し、後方壁面１７を医療用針のハウジング２の突部２Ｆに係止できるように形成している。
さらに詳述すれば、針カバー１２は略筒状（円、楕円、角形等何でも良い）に形成され、前方と後方にそれぞれ開口部１４、１５が形成され、前方には鍔１３、後方にはやや細径に絞られた壁面１７が形成されている。
壁面１７内径は、ハウジング２の突部２Ｆ付近の外径よりも若干小さく形成されているので、針カバー１２を医療用針１方向にスライドさせて被冠すると、壁面１７は突部２Ｆを乗り越えて、突部２Ｆと相互に係止され、壁面１７がハウジング外周に固定される。このため針カバー１２は医療用針１と反対方向に移動することがなく、医療用針１が針カバー１２から抜け出すことがない（針１０は針カバー１２の外に露出しない）。以上のように突部２Ｆはワンウェイフックとしての役割を果たす。
【００１０】
［医療用針１（ハウジング２、ボールハブ５及びストッパー６）の構成材料］
ハウジング２とストッパー６は相互に溶剤接着できる硬質合成樹脂より形成され、ボールハブ５は、ハウジング２及びストッパー６との接触面が摺動可能な摩擦抵抗の低い（潤滑性を有する）硬質合成樹脂、金属等により形成される。
［医療用針１（針１０、ハウジング２、ボールハブ５及びストッパー６）の組み立て］
次に本発明の医療用針１の組み立て方法の一例について説明する。
（１）針１０の後端を挿入（植設ともいう）したボールハブ５をハウジング２の前方に配置し、ボールハブ５とハウジング２前方にストッパー６を被嵌する。
（２）ハウジング２後方から空間４内にチューブ１１先端を挿入し、針１０の後端にチューブ１１先端を装着する。
【００１１】
［医療用針１の使用方法］
次に本発明の医療用針１の使用方法の一例について説明する。
（１）図１（Ｃ）（針１０をハウジング２に対して水平）の状態で、針１０をポート（図示せず）に穿刺して、（Ｂ）（針１０をハウジング２に対して略４５°下方に回動）を経て、（Ａ）（針１０をハウジング２に対して略９０°下方に回動）の状態にして、薬液等の注入を行う。
また「（１）´図１（Ｃ）（針１０をハウジング２に対して水平）から（Ｂ）（針１０をハウジング２に対して略４５°下方に回動）を経て（Ａ）（針１０をハウジング２に対して略９０°下方に回動）のようにして、針１０をポート（図示せず）に穿刺して、薬液等の注入を行う。」のように使用することもできる。
（２）薬液等の注入が終了した後、針１０をポート（図示せず）から抜く前に、図１（Ａ）（針１０をハウジング２に対して略９０°下方に回動）の状態から、（Ｂ）（針１０をハウジング２に対して略４５°下方に回動）を経て、図１（Ｃ）（針１０をハウジング２に対して水平）の状態に戻す。
（３）図２（Ａ）から（Ｂ）のように、針カバー１２を針１０方向に移動させ、針１０を針カバー１２に被冠しながら、図２（Ｃ）のように針１０を完全に針カバー１２で被冠して廃棄する。これにより、針１０をポート（図示せず）から抜いた直後から廃棄するまでに、作業者の誤刺事故を防止することができる。
【００１２】
図６は本発明の医療用針２１の断面図［（Ａ）針３０をハウジング２２に対して略９０°下方に回動したとき、（Ｂ）針３０をハウジング２２に対して略４５°下方に回動したとき、（Ｃ）針３０をハウジング２２に対して水平にしたとき］、図７は医療用針２１の断面図と側面図［（Ａ）は図６（Ｃ）と同じ断面図、（Ｂ）は（Ａ）の横中央断面図（上から見た図面）、（Ｃ）は同横中央断面図（下から見た図面）、（Ｄ）は図６（Ｃ）の左側面図、（Ｅ）は図６（Ｃ）の右側面図］である。
医療用針２１は図６から図７に例示するように、ハウジング２２の前方に、針３０を植設したボールハブ２５を配置し、当該ボールハブ２５にストッパー２６を被冠している。ボールハブ２５は前記ハウジング２２とストッパー２６の間に遊嵌され、針３０はストッパー２６を回動することにより、略水平位置から下方に略９０°の範囲で回動することができる。
ハウジング２２の内部空間２４内にチューブ３１先端を装着し、当該チューブ３１はハウジング２２内部空間２４を経て、ハウジング２２後方に延設されている。ハウジング２２とストッパー２６は液密に接合されている。
【００１３】
［ハウジング２２］
ハウジング２２は、図６から図７に例示するように、図１から図５に例示したハウジング２と同様に形成され、前方に液体（薬液）流通のための孔２２Ａを形成し、溝３を形成していない点でハウジング２と異なる。またハウジング２２では、内部空間２４にチューブ３１先端が装着される。
［ボールハブ２５］
ボールハブ２５は、図６から図７に例示するように、図１から図５に例示したボールハブ５と同様に形成され、前方から中央に亘って第一の孔２５Ａが形成され、第一の孔２５Ａから所定の角度をつけて、中央から後方に亘って第二の孔２５Ｂが貫通して形成されている点でボールハブ５と異なる。すなわち第一の孔２５Ａに針３０が植設され（さらに詳述すれば針３０の後端が孔２５Ａ挿入（植設ともいう）される）、第二の孔２５Ｂは、液体（薬液）の流通路となる。
［ストッパー２６］
ストッパー２６は図６から図７に例示するように、図１から図５に例示したストッパー６と同様に形成される。ストッパー２６はストッパー６のように溝８は形成していないが、ストッパー６と同様に、溝２７は形成している。ストッパー２６は、ボールハブ２５とハウジング２２前方に液密に装着（被冠）される。
なおハウジング２２及びストッパー２６の構成材料は、硬質合成樹脂も使用可能であるが、ボールハブ２５と液密性を持たせるためエラストマー樹脂のほうがより好ましい。
［医療用針２１の使用方法］
図６（Ａ）（針３０をハウジング２２に対して略９０°下方に回動したとき）の状態では、針３０内部、孔２５Ｂ、孔２２Ａ、内部空間２４及びチューブ３１が連通し、チューブ３１より針３０を経て、薬液の注入が可能である。
図６（Ｃ）（針３０をハウジング２２に対して水平にしたとき）の状態では、孔２５Ｂが、ハウジング２２の前方壁面に塞がれて、薬液の注入ができない。
その他の形状、材料、使用方法は図１から図５に例示した医療用針１と実質的に同じであるから詳細な説明は省略する。
【００１４】
図８は本発明の医療用針４１の概略図［（Ａ）針５０をハウジング４２に対して略９０°下方に回動したとき、（Ｂ）針５０をハウジング４２に対して略４５°下方に回動したとき、（Ｃ）針５０をハウジング４２に対して水平にしたとき］、図９は図８の断面図［（Ａ）、（Ｂ）、（Ｃ）は図８の（Ａ）、（Ｂ）、（Ｃ）に対応する］、図１０は図８の断面図と側面図［（Ａ）は図８（Ｃ）の縦中央断面図、（Ｂ）は図８（Ｃ）の横中央断面図（上から見た図面）、（Ｃ）は同横中央断面図（下から見た図面）、（Ｄ）は図８（Ｃ）の左側面図、（Ｅ）は図８（Ｃ）の右側面図］である。
医療用針４１は図８から図１０に例示するように、ハウジング４２の前方に、針５０を植設したヒンジハブ４５を配置し、当該ヒンジハブ４５にストッパー４６を被冠している。ヒンジハブ４５は前記ストッパー４６に遊嵌され、針５０はストッパー４６を回動することにより、略水平位置から下方に略９０°の範囲で回動することができる。
前記針５０後方にチューブ５１を装着し、当該チューブ５１はストッパー４６後方から、ハウジング４２の内部空間４４を経て、ハウジング４２後方に延設されている。
【００１５】
医療用針４１は、図１から図５の医療用針１の「ボールハブ５」を「ヒンジハブ４５」に置換したものである。
ヒンジハブ４５の両側に突部４５Ａを形成し、当該突部４５Ａをストッパー４６の溝４６Ａに遊嵌した点を除いて、その他の形状、材料、使用方法は医療用針１と実質的に同じであるから詳細な説明は省略する。
【図面の簡単な説明】
【００１６】
【図１】本発明の医療用針１の概略図［（Ａ）針１０をハウジング２に対して略９０°下方に回動したとき、（Ｂ）針１０をハウジング２に対して略４５°下方に回動したとき、（Ｃ）針１０をハウジング２に対して水平にしたとき］
【図２】針１０に針カバー１２を被冠するときの概略図［（Ａ）は被冠する前、（Ｂ）は被冠する途中、（Ｃ）は被冠後］
【図３】図１の断面図［（Ａ）、（Ｂ）、（Ｃ）はそれぞれ図１（Ａ）、（Ｂ）、（Ｃ）に対応する］
【図４】図１の断面図と側面図［（Ａ）は図１（Ｃ）の中央縦断面図、（Ｂ）は図１（Ｃ）の中央横断面図（上から見た図面）、（Ｃ）は同中央横断面図（下から見た図面）、（Ｄ）は図１（Ｃ）の左側面図、（Ｅ）は図１（Ｃ）の右側面図］
【図５】針１０に針カバー１２を被冠するときの断面図［（Ａ）は被冠する前、（Ｂ）は被冠する途中、（Ｃ）は被冠後、（Ｄ）は（Ｃ）の一部拡大図］
【図６】本発明の医療用針２１の断面図［（Ａ）針３０をハウジング２２に対して略９０°下方に回動したとき、（Ｂ）針３０をハウジング２２に対して略４５°下方に回動したとき、（Ｃ）針３０をハウジング２２に対して水平にしたとき］
【図７】医療用針２１の断面図と側面図［（Ａ）は図６（Ｃ）と同じ断面図、（Ｂ）は（Ａ）の横中央断面図（上から見た図面）、（Ｃ）は同横中央断面図（下から見た図面）、（Ｄ）は図６（Ｃ）の左側面図、（Ｅ）は図６（Ｃ）の右側面図］
【図８】本発明の医療用針４１の概略図［（Ａ）針５０をハウジング４２に対して略９０°下方に回動したとき、（Ｂ）針５０をハウジング４２に対して略４５°下方に回動したとき、（Ｃ）針５０をハウジング４２に対して水平にしたとき］
【図９】図８の断面図［（Ａ）、（Ｂ）、（Ｃ）は図８の（Ａ）、（Ｂ）、（Ｃ）に対応する］
【図１０】図８の断面図と側面図［（Ａ）は図８（Ｃ）の縦中央断面図、（Ｂ）は図８（Ｃ）の横中央断面図（上から見た図面）、（Ｃ）は同横中央断面図（下から見た図面）、（Ｄ）は図８（Ｃ）の左側面図、（Ｅ）は図８（Ｃ）の右側面図］
【図１１】従来の薬液注入装置の概略図
【符号の説明】
【００１７】
１、２１、４１  医療用針
２、２２、４２  ハウジング
２２Ａ  孔
２Ｆ、２２Ｆ、４２Ｆ  突起（フック、係止部）
３、４３  （ハウジング）溝
４、４４  （ハウジング）空間
５、２５  ボールハブ
５Ａ  孔
２５Ａ  （第一の）孔
２５Ｂ  （第二の）孔
６、２６  （ボールハブ）ストッパー
７  （ボールハブ前方）溝
８  （ボールハブ後方）溝
２７  （ボールハブ）溝
１０、３０、５０  針
１１、３１、５１  チューブ
１２  針カバー
１３  鍔
１４  （前方）開口部
１５  （後方）開口部
１６  （医療用針の収納）空間
１７  後方壁面
４５  ヒンジハブ
４５Ａ  突部
４５Ｂ  溝部
４６  （ヒンジハブ）ストッパー
４７  （ヒンジハブ前方）溝
４８  （ヒンジハブ後方）溝
４９  （ヒンジハブ）空間
【図１】
2005245931.tif 000003
【図２】
2005245931.tif 000004
【図３】
2005245931.tif 000005
【図４】
2005245931.tif 000006
【図５】
2005245931.tif 000007
【図６】
2005245931.tif 000008
【図７】
2005245931.tif 000009
【図８】
2005245931.tif 000010
【図９】
2005245931.tif 000011
【図１０】
2005245931.tif 000012
【図１１】
2005245931.tif 000013
【手続補正書】
【提出日】平成16年3月10日(2004.3.10)
【手続補正１】
【補正対象書類名】明細書
【補正対象項目名】００１７
【補正方法】変更
【補正の内容】
【００１７】
１、２１、４１  医療用針
２、２２、４２  ハウジング
２２Ａ  孔
２Ｆ、２２Ｆ、４２Ｆ  突起（フック、係止部）
３、４３  （ハウジング）溝
４、４４  （ハウジング）空間
５、２５  ボールハブ
５Ａ  孔
２５Ａ  （第一の）孔
２５Ｂ  （第二の）孔
６、２６  （ボールハブ）ストッパー
７  （ボールハブ前方）溝
８  （ボールハブ後方）溝
２７  （ボールハブ）溝
１０、３０、５０  針
１１、３１、５１  チューブ
１２  針カバー
１３  鍔
１４  （前方）開口部
１５  （後方）開口部
１６  （医療用針の収納）空間
１７  後方壁面
４５  ヒンジハブ
４５Ａ  突部
４６Ａ  溝部
４６  （ヒンジハブ）ストッパー
４７  （ヒンジハブ前方）溝
４８  （ヒンジハブ後方）溝
４９  （ヒンジハブ）空間